(57)【特許請求の範囲】
【請求項１】
冷陰極管の不点灯に起因する高電圧発生による冷陰極管電源供給回路の破壊を防止する冷陰極管不点灯対策回路であって、
前記冷陰極管に流れる管電流を検出する管電流検出回路と、
前記冷陰極管を点灯制御する冷陰極管オン信号が入力され、当該冷陰極管オン信号がオンになった後にディレー調整をして出力する遅延回路と、
前記遅延された冷陰極管オン信号とリセット信号とを受け取るフリップフロップと、
前記冷陰極管オン信号と前記フリップフロップの出力との論理積をとる論理積ＡＮＤと、
前記冷陰極管電源供給回路に電力供給を行う／行わないを切り替えるスィッチとを有し、
前記フリップフロップは、電源の投入に呼応して発生する前記リセット信号により初期化され、前記遅延された冷陰極管オン信号の立ち上がりタイミングで前記管電流検出回路による前記管電流の検出結果を取り込み、前記管電流が正常に流れているときは、前記論理積ＡＮＤに”Ｈ”を出力し、前記管電流が流れないときは、前記論理積ＡＮＤに”Ｌ”を出力し、
前記論理積ＡＮＤは、前記フリップフロップの出力と前記冷陰極管オン信号との論理積をとることで、前記管電流が流れていない状態のときは、出力を”Ｌ”とし、
前記スィッチは、前記論理積ＡＮＤの出力が”Ｌ”であれば、前記冷陰極管電源供給回路への電力供給を行わないことを特徴とする冷陰極管不点灯対策回路。
【請求項２】
前記冷陰極管が不点灯になると、前記管電流検出回路の第一の抵抗の両端に発生する電圧が０となることを特徴とする請求項１記載の冷陰極管不点灯対策回路。
【発明の詳細な説明】
【０００１】
【発明の属する技術分野】
本発明は、光源に冷陰極管を用いた液晶表示装置の冷陰極管電源供給回路に
関し、特に、冷陰極管不点灯時の冷陰極管電源供給回路の冷陰極管不点灯対策回路に関する。
【０００２】
【従来の技術】
不点灯対策として特開平５−２１５９号公報の液晶表示付きセキュリティ装置があるが、これはバックライト（冷陰極管）の累積点灯時間を計算し、使用者にバックライトの交換時期を警告する、または、寿命時間と判断された場合特開平５−２１５９の図１のポート１７のＳで点灯できなくするだけである。この特開平５−２１５９号公報では、バックライトが不意の事故で割れた場合等で不点灯となっても、冷陰極管電源供給回路は無負荷状態で動作を続け、特開平５−２１５９の図１のバックライトの電源１１Ｃに高電圧（数ＫＶ）が発生し続ける。この高電圧は前記１１Ｃに過負荷を与え続ける。
【０００３】
また、冷陰極管の管電流検出回路を用いた回路として、特開平４−５０８１５号公報の液晶表示装置用バックライト電源があるが、この特開平４−５０８１５号公報は、周囲温度でＣＦＬ管電流が変化しようとした時に管電流の値をバックライト電源内部のスイッチング回路にフィードバックし、ある一定の管電流にするための物である。また、特開平４−５０８１５号公報の第２図の通り、特開平４−５０８１５号公報のスイッチング回路の電源部には当発明のＳＷが無く、特開平４−５０８１５号公報の管電流検出回路の出力は、前述のスイッチング回路の電源を制御していない。よって、特開平４−５０８１５号公報も特開平５−２１５９号公報も、ＣＦＬが不点灯となった場合には冷陰極管の電源部に高電圧を発生し続け過負荷を与える。
【０００４】
【発明が解決しようとする課題】
第１の問題点は、冷陰極管が不点灯となった時、従来の冷陰極管電源供給回路は停止せず高電圧を発生し続ける。この高電圧は冷陰極管電源供給回路内部の昇圧トランスにたいし過負荷となる。
【０００５】
その理由は、冷陰極管が不点灯となっても、冷陰極管電源供給回路は止まらないため、冷陰極管電源供給回路内部の昇圧トランスに高電圧（数ＫＶ）が発生し続け、昇圧トランスの耐圧を超えてしまう。
【０００６】
この高電圧は冷陰極管を始動させるために必要であるが、冷陰極管を始動させるための必要時間は極めて短い。よって、冷陰極管が始動するまでの時間内であれば昇圧トランスは耐えうることが出来る。また、通常冷陰極管が点灯している時は、冷陰極管自身のインピーダンスにより昇圧トランスの出力電圧は数百Ｖになっており、昇圧トランスの耐圧内で使用している。
【０００７】
また、昇圧トランスの耐圧を、高電圧まで耐えうる物を使えば電気的には問題ないが、耐圧を高圧まで持っていくには昇圧トランスの物理的寸法を１０倍前後大きくしなければならず、非現実的な物になってしまう。
【０００８】
【課題を解決するための手段】
本発明の目的は、冷陰極管の不点灯による高電圧発生が、冷陰極管電源供給回路内部の昇圧トランス耐圧を越える為、昇圧トランスの破壊防止を行う冷陰極管不点灯対策回路を提供することにある。
【０００９】
そのため、
（１）本発明の冷陰極管不点灯対策回路は、冷陰極管の不点灯に起因する高電圧発生による冷陰極管電源供給回路の破壊を防止するものであって、冷陰極管に流れる管電流を検出する管電流検出回路と、冷陰極管を点灯制御する冷陰極管オン信号が入力され、冷陰極管オン信号がオンになった後にディレー調整をして出力する遅延回路と、遅延された冷陰極管オン信号とリセット信号とを受け取るフリップフロップと、冷陰極管オン信号と前記フリップフロップの出力との論理積をとる論理積ＡＮＤと、冷陰極管電源供給回路に電力供給を行う／行わないを切り替えるスィッチとを有し、フリップフロップは、電源の投入に呼応して発生する前記リセット信号により初期化され、遅延された冷陰極管オン信号の立ち上がりタイミングで管電流検出回路による管電流の検出結果を取り込み、管電流が正常に流れているときは、論理積ＡＮＤに”Ｈ”を出力し、管電流が流れないときは、論理積ＡＮＤに”Ｌ”を出力し、論理積ＡＮＤは、フリップフロップの出力と冷陰極管オン信号との論理積をとることで、管電流が流れていない状態のときは、出力を”Ｌ”とし、スィッチは、論理積ＡＮＤの出力が”Ｌ”であれば、冷陰極管電源供給回路への電力供給を行わないことを特徴としている。
（２）本発明の冷陰極管不点灯対策回路は、上記（１）の冷陰極管が不点灯になると、前記管電流検出回路の第一の抵抗の両端に発生する電圧が０となることを特徴としている。
【００１０】
【発明の実施の形態】
次に、本発明の実施の形態について図面を参照して説明する。
【００１１】
図１は本発明の冷陰極管不点灯対策回路の一実施の形態を含む液晶装置を示すブロック図である。
【００１２】
この液晶装置は、冷陰極管電源供給回路４と、ＬＣＤ液晶表示装置〔ここでは冷陰極管（ＣＦＬ）３のみ抜粋表示〕と、冷陰極管不点灯対策回路１と、管電流検出回路２と、電力供給をオン／オフするＳＷ５とからなる。
【００１３】
冷陰極管電源供給回路（ＩＮＶ）４は、スイッチング回路と昇圧トランスとバラストコンデンサＣ１  からなる。
【００１４】
冷陰極管不点灯対策回路１は、電圧Ｖ１  を保持するＦＦと、ＣＦＬオン信号とＦＦの出力を論理積するＡＮＤと、電圧Ｖ１  をサンプリングするタイミングを作るためのＲ２  ，Ｃ２  と、ＩＮＶ４に電力供給を行う／行わないを切り替えるＳＷ５と、ＦＦの初期設定を行うＲ３  ，Ｃ３  とからなる。
【００１５】
管電流検出回路２は、ＩＮＶ４とＣＦＬ３の閉回路の中に抵抗Ｒ１  を昇圧トランスのコールド側に入れ、管電流を電圧Ｖ１  として取り出す。
【００１６】
次に、本実施の形態の冷陰極管不点灯対策回路の動作について説明する。
【００１７】
冷陰極管（ＣＦＬ）３が管割れ等で不点灯になると、Ｒ１  の両端に発生していた電圧Ｖ１  が０Ｖとなる。その電圧で、冷陰極管不点灯対策回路１のＦＦの出力Ｑが“Ｌ”となり、ＡＮＤの出力を“Ｌ”とする。このＡＮＤの出力がＳＷ５をオフにし、ＳＷ５がオフになることでＩＮＶへ電力を供給することをやめる。よって、ＩＮＶ４はＣＦＬ３に高電圧を供給することを止める。
【００１８】
ＣＦＬオン信号とは、ＩＮＶ４の電力供給をオン／オフすることでＣＦＬ３の点灯／消灯を制御する信号である。本実施の形態では、冷陰極管不点灯対策回路１の出力信号（ＦＦの出力）とＣＦＬオン信号の論理積を取り、ＳＷ５に入力させる。
【００１９】
ここで、ＦＦのＤとはＦＦのデータ入力部であり、ＦＦのＣとはＦＦのＤが入力された信号をサンプリングするクロックを入力するところである。ＦＦの出力データはＱまたはＱの否定値から出力する。また、ＦＦのＲとはＦＦを初期化する信号の入力部である。
【００２０】
冷陰極管不点灯対策回路１に電源が投入されるとＦＦの出力はＲ３  ，Ｃ３  により初期化される。ＣＦＬオン信号が最初にオンされたとき、ＦＦの出力  は“Ｈ”のため、ＣＦＬオン信号はＡＮＤを通りＳＷにＣＦＬオン信号が入力されＩＮＶ４が動作する。問題なく点灯すれば管電流検出回路２からの信号が“Ｈ”となり、ＦＦの出力の値は変わらない。
【００２１】
ＦＦの入力Ｃの前段に入ってるＣ２  ，Ｒ２  は、ＣＦＬオン信号がオンになってから管電流検出回路２の出力が安定するまでのディレー調整を行っている。
【００２２】
次に、ＣＦＬオン信号がオンとなりＩＮＶ４が動作したが、ＣＦＬ３の管割れ等で不点灯となった場合、従来であればＩＮＶ４は動作し続ける。しかし、冷陰極管不点灯対策回路１があれば、管電流検出回路２で管電流が流れていないことを検出し、“Ｌ”の状態を冷陰極管不点灯対策回路１に取り込む。そして、冷陰極管不点灯対策回路１のＦＦの出力の値が“Ｌ”に変化し、ＡＮＤの出力を“Ｌ”とする事で、ＳＷ５をオフとしＩＮＶ４の動作を止める。ＩＮＶ４が止まることで昇圧トランスへの過負荷を避けることができる。
【００２３】
尚、ＳＷはトランジスタだけでなくリレーでも可能であり、Ｃ１  ，Ｒ１  のディレー調整は論理回路でも代用可能である。
【００２４】
【発明の効果】
第１の効果は、ＣＦＬが不点灯となったとき、昇圧トランスに高電圧を発生させないことで過負荷を避け、破壊を防止する。
【００２５】
その理由は、ＣＦＬが不点灯となることで、ＩＮＶへの電源を遮断することでＩＮＶの動作を止め、ＩＮＶ内部の昇圧トランスに高圧が発生しないようにするためである。
【００２６】
また、昇圧トランスの破壊が二次災害として火災を引き起こす可能性があり、本発明により冷陰極管が不点灯となったための火災対策がとれる効果もある。
【図面の簡単な説明】
【図１】本発明の冷陰極管不点灯対策回路の一実施の形態を示すブロック図である。
【符号の説明】
１    冷陰極管不点灯対策回路
２    管電流検出回路
３    冷陰極管（ＣＦＬ）
４    冷陰極管電源供給回路（ＩＮＶ）
５    ＳＷ
【図１】
0003570830.tif 000002